(57)【要約】      （修正有）【課題】野球用保護ネットの場合、ネットが破れや破損する事は日常的に起こる問題であるが、補修をしない為に重大事故を含め怪我が起きる確率が高いにも拘らず、毎日の点検時に発見しても、専用の補修ネットでの補修であるが、補修が大変なうえ、補修した場合、時間が掛かり練習開始時間が遅れる為、簡単に補修できる野球用保護ネット補修シートを提供する。【解決手段】表面に貼った野球用保護ネット補修シート大４を左右から野球用保護ネット１の空間を利用して、裏面に貼っている野球用保護ネット補修シート小３に巻き込み、巻き込み面６に防水機能を高める為、天方向の切断部分５の上から防水テープ７を貼ったものである。【選択図】図３
2020006072.tif 000002
【特許請求の範囲】
【請求項１】
２枚一組のシートで構成された野球用保護ネット補修シートであって、２枚の前記シートを重ね合わせた時に、一方の前記シートの全周に対してもう一方の前記シートがはみ出すように、大きさが異なっている、ことを特徴とする野球用保護ネット補修シート。
【請求項２】
前記シートは、防球マットの素材に、両面若しくは片面に接着材を塗り合わせた、請求項１又に記載の野球用保護ネット補修シート。    
【発明の詳細な説明】
【技術分野】
【０００１】
本発明は、野球用保護ネットの補修に関する。
【背景技術】
【０００２】
野球用保護ネットの場合、ネットの破れや破損する事は日常的に起こる問題であるが、補修をしない為に重大事故を含め怪我が起きる確率が高いにも拘らず、毎日の点検時に発見しても、専用の補修ネット等で、補修を殆どしていないのが現状である。
【０００３】
特許文献１には、網戸ネットの破損部を、両面テープで張り合わせ補修をした後、ループパイル及びフックで風穴を空ける事が出来る、網戸補修シートが開示されている。
【０００４】
特許文献２には、通風性シートの補修用シートの事が、開示されている。
【０００５】
非特許文献1には、PDF高校野球の事故防止対策についての中の、(1)打撃練習中の課題、ア・ネット設置の文章の中で、ネットの破損、破れが無いか毎回練習前に必ず点検すると開示されている。
【先行技術文献】
【特許文献】
【０００６】
【特許文献１】特開２０００−２２６９７３
【特許文献２】特開昭６１−１３００４４
【非特許文献１】PDF高校野球の事故防止対策について
【発明の概要】
【発明が解決しようとする課題】
【０００７】
特許文献1で開示されている網戸補修シートは、野球用保護ネットと網戸を比較した場合、風穴の大きさや網の糸の太さが全然違うので、シートで両面から補修する事だけは同じであるが、野球用保護ネット補修シートの場合、補修後風穴を空ける必要が無いことや、網の糸自体が太いので貼り合わせた際の空間の問題等を解決する方法が、開示されていない。
【０００８】
特許文献2で開示されている通風性シートの補修用シートは、補修自体が難しく、時間が掛かる問題と、補修後のネットが守る対象物が硬球ボールの為、強度の問題の解決する方法が、開示されていない。
【０００９】
非特許文献１で開示されている、PDF高校野球の事故防止対策についての中の、(1)打撃練習中の課題、ア・ネット設置の文章の中で、ネットの破損、破れが無いか毎回練習前に必ず点検すると明記しているが、残念ながら直ぐにどの様に補修しなさいとは明記されていない上、直ぐに補修しない限り、ネットの破損、破れの部分は、分かり難いので、同じ個所からの怪我・事故の防止策が、開示されていない。
【００１０】
ネットの破損、破れの補修用に各スポーツ用品メーカーから、補修用ネットが販売されているが、慣れていない人達(例えば高校生)にとって、非常に難しく面倒くさい作業であると共に時間が掛かる。ので、簡単に早く出来る代替え品が必要である。
【００１１】
本発明は前記のような従来の問題を解決するものであり、誰でも簡単に短時間で野球用保護ネットの補修ができ、事故防止に有用な野球用保護ネット補修シートを提供することを目的とする。
【課題を解決するための手段】
【００１２】
本発明に係る野球用保護ネット補修シートは、２枚一組のシートで構成された野球用保護ネット補修シートであって、２枚の前記シートを重ね合わせた時に、一方の前記シートの全周に対してもう一方の前記シートがはみ出すように、大きさが異なっている、ことを特徴とする野球用保護ネット補修シート。
第１の特徴とする。
【００１３】
本発明に係る野球用保護ネット補修シートの第２の特徴は、上記第１の特徴に加えて、補修シートの素材は防球マットに、両面若しくは片面に接着材を塗り合わせた点にある。
【発明の効果】
【００１４】
本発明の効果は、誰でも簡単に短時間で野球用保護ネット補修が出来る為、事故防止に有用である。
【００１５】
補修した後の強度は、補修する前と比較した場合、圧倒的に補修した後の強度が優る。
【００１６】
野球用保護ネットの場合、使用場所が屋外であるが、野球用保護ネット補修シートの特徴として、防水効果が見込める事と、ネットの糸が太くても対応出来る。
【図面の簡単な説明】
【００１７】
【図１】野球用保護ネットの破損を、野球用保護ネット補修シートで補修する時の、表面から見た時の、裏面の正面図であり、A〜Dの順番で補修を行う手順である。
【図２】野球用保護ネットの破損や破れを、野球用保護ネット補修シートで補修する時の、表面から見た表面の正面図であり、A〜Dの順番で補修を行う手順である。
【図３】野球用保護ネットの破損２を、野球用保護ネット補修シートで補修する時の、裏面から見た正面図であり、A〜Dの順番で図２と同じであるが、詳細図を明記している。
【発明を実施するための形態】
【００１８】
本発明は、野球用保護ネット１の破損部分２を、野球用保護ネット補修シート大４、小３で補修する事を目的にしたものである。図１は野球用保護ネット１に破損部分２が生じた図がAである。最初の工程として野球用保護ネット補修シート小３を、破損部分２の中心に貼り付ける、その際破損した野球用保護ネット１を、元の位置で貼り付けた図がBである。Cの図は、野球用保護ネット補修シート小３を、表面から挟み込む様にセンターを併せて貼り合わせた野球用保護ネット補修シート大４図であり、野球用保護ネット補修シート大４の余り面部分を、野球用保護ネット１に沿ってはさみ等で切断した、切断部分５である。Dの図は、切断部分５を野球用保護ネット１糸の部分を中心にして、表面に貼った野球用保護ネット補修シート大４を左右から野球用保護ネット１の空間を利用して、裏面に貼っている野球用保護ネット補修シート小３に巻き込んだ時の、巻き込み面６の図であり、防水機能を高める為、天方向の切断部分５の上から防水テープ７を貼った図である。
【００１９】
図２は、図1と同様に見えるが、Aの図は図１と同じである。Bの図は、図１B図で裏面に野球用保護ネット補修シート小３が貼っている同じ場所に、表面から野球用保護ネット補修シート大４を貼った、表面から見た正面図である。Cの図は、野球用保護ネット補修シート大４に沿ってはさみ等で切断した、切断部分５の表から見た正面図である。Dの図は、野球用保護ネット１を野球用保護ネット補修シート３，４で補修した最終正面図である。
【００２０】
図3は、図１をベースにして、部分詳細図を描いたものである。詳細図Eは、
野球用保護ネット補修シート大４、小３の切断部分５の拡大図であり、縦方向の切断部分5だけでなく、横方向の切断部分５も良く分かると考える。詳細図Fは、
野球用保護ネット補修シート大４、小３で、野球用保護ネット１糸を挟み込んだ時の平面図であり、野球用保護ネット１の隙間部分を利用して、野球用保護ネット補修シート大４、小３を、接着剤を介して貼りあわす事で、より強固な野球用保護ネット補修シート大４、小３になる。詳細図Gは、野球用保護ネット補修シート大４に沿って切り込み、切断部分５を利用し、野球用保護ネット補修シート小３、に被せた時の平面図であり、この作業をする事で、常時屋外で風雨にさらされている、防護ネット補修時の、防水効果が見込める。防水効果をより高める方法として、野球用保護ネット補修シート大４に切り込み、切断部分５を利用し、野球用保護ネット補修シート小３、に被せた上からさらに、防水テープ７を施工する事である。
【００２１】
ネット及び網の補修に於いて、殆どの場合風穴が必要不可欠であるが、野球用保護ネットシートに限り補修面積が小さい箇所が対象なので、風圧の影響が小さく、風穴よりも強度が優先される為、風穴を空ける必要が無い。
【００２２】
野球用保護ネット補修シート大４、小３の大きさであるが、硬球ボールの直径が約76mmである事を考えた場合、3種類の野球用保護ネット補修シート大４、小３のサイズが考えられる、サイズの基本は野球用保護ネット補修シート小３とするが、基本サイズを直径10cm、15cm、20cm、30cmとし、規格外のサイズおよび形に関しては、特殊とする。
【符号の説明】
【００２３】
１  野球用保護ネット・糸
２  破損部分
３  野球用保護ネット補修シート小
４  野球用保護ネット補修シート大
５  切断部分
６  巻き込み面
７  防水テープ
【図１】
2020006072.tif 000003
【図２】
2020006072.tif 000004
【図３】
2020006072.tif 000005